(57)【要約】    【課題】  レンズ構成枚数が少なく、主レンズ系の拡大共役側に着脱可能に装着したとき、レンズ系全体の歪曲収差を低減させることができるアタッチメントレンズ及びそれを有する光学系を得ること。    【解決手段】  主レンズ系の拡大共役側に着脱可能に装着されるアタッチメントレンズであって、拡大共役側から縮小共役側に順に、正レンズ、負レンズ、負レンズ、正レンズから成り、屈折力をφ(1/mm)とするとき   -0.002(1/mm) < φ < 0.002(1/mm)なる条件を満足すること。【選択図】図1
2007178826.tif 000002
【特許請求の範囲】
【請求項１】
主レンズ系の拡大共役側に着脱可能に装着されるアタッチメントレンズであって、拡大共役側から縮小共役側に順に、正レンズ、負レンズ、負レンズ、正レンズから成り、屈折力をφ（１／ｍｍ）とするとき
−０．００２（１／ｍｍ）  ＜  φ  ＜  ０．００２（１／ｍｍ）
なる条件を満足することを特徴とするアタッチメントレンズ。
【請求項２】
最も拡大共役側の正レンズは、縮小共役側の面が凸形状であることを特徴とする請求項１のアタッチメントレンズ。
【請求項３】
拡大共役側から縮小共役側に順に、第１番目の正レンズの材料の屈折率をＮｐ、第２番目の負レンズの材料の屈折率をＮｎとするとき
Ｎｐ＞Ｎｎ
であることを特徴とする請求項１又は２のアタッチメントレンズ。
【請求項４】
拡大共役側から縮小共役側に順に、第１番目の正レンズと第２番目の負レンズは、貼合せられていることを特徴とする請求項１，２又は３のアタッチメントレンズ。
【請求項５】
前記アタッチメントレンズは、拡大共役側から縮小共役側へ順に、両レンズ面が凸形状の正レンズ、両レンズ面が凹形状の負レンズ、拡大共役側の面が凸でメニスカス形状の負レンズ、拡大共役側の面が凸でメニスカス形状の正レンズより成ることを特徴とする請求項１〜４のいずれか１項のアタッチメントレンズ。
【請求項６】
主レンズ系の拡大共役側に着脱可能に装着されるアタッチメントレンズであって、拡大共役側から縮小共役側に順に、正レンズ、負レンズ、負レンズ、正レンズから成り、前記主レンズ系の歪曲収差を補正する機能を有することを特徴とするアタッチメントレンズ。
【請求項７】
主レンズ系の拡大共役側に請求項１〜６のいずれか１項のアタッチメントレンズを装着した光学系であって、該主レンズ系の焦点距離をＦ、該主レンズ系にアタッチメントレンズを装着したときの焦点距離をｆとするとき、
０．９  ＜  ｆ／Ｆ  ＜  １．２
なる条件を満足することを特徴とする光学系。
【請求項８】
画像表示素子が形成する画像情報を請求項７に記載の光学系でスクリーン上に投写することを特徴とする画像投写装置。
【発明の詳細な説明】
【技術分野】
【０００１】
本発明は、カメラ等の撮像装置に用いられる撮像光学系や、液晶パネル等の画像表示素子からの光をスクリーン等に投写するプロジェクターに用いられる投写光学系の拡大共役側に着脱可能に装置するアタッチメントレンズ及びそれを有する光学系に関する。
【背景技術】
【０００２】
従来、液晶表示素子などの表示面に基づく画像情報をスクリーンに拡大投写する液晶プロジェクター（画像投写装置）が種々と提案されている。
【０００３】
この液晶プロジェクターはパソコン等の画像情報を大画面に投影してみることができるので会議およびプレゼンテーション等に広く利用されている。
【０００４】
液晶プロジェクターに用いられる投写光学系には、様々な形状の広さをもった会議室での投写を実現するため、投写画角を種々と変化させることができるズーム倍率の高い光学系が要望されている。
【０００５】
従来、投写光学系では主レンズ系（投写レンズ）の拡大共役側にアタッチメントレンズを着脱可能に装着することが行われている（特許文献１，２）。これによって、全系の焦点距離をずらして、投写画角を変化させている。このようなアタッチメントレンズは、ワイドコンバーターレンズまたはテレコンバージョンレンズと言われている。
【０００６】
このワイドコンバーターレンズやテレコンバーターレンズ等のアタッチメントレンズを利用すると、簡易に投写画角を変えて画像情報をスクリーン上に拡大又は縮小して投写することができる。
【特許文献１】特開２００１−２７２６００号公報
【特許文献２】特開２００２−１０７６１９号公報
【発明の開示】
【発明が解決しようとする課題】
【０００７】
投写画角を変化させるために、主レンズ系（投写レンズ）の拡大共役側にアタッチメントレンズを装着するときには、主レンズ系の結像性能を劣化させないことが重要である。例えば主レンズ系に諸収差のうち、歪曲収差があるときには、投写された画像が輪郭部で歪んでしまい見苦しくならないように歪曲収差を悪化させないことが重要である。
【０００８】
又、アタッチメントレンズとしては、主レンズ系への装着が容易となるようにレンズ枚数が少なく、小型軽量であることが重要である。
【０００９】
特許文献１のテレコンバーターレンズや、特許文献２のワイドコンバーターレンズは、レンズ構成枚数が６枚以上と多く、又複雑でありレンズ系全体が大型化しやすい傾向がある。
【００１０】
又、投写用の主レンズ系に装着したときにも倍率色収差および歪曲収差が多く残存する傾向がある。
【００１１】
液晶プロジェクター等の画像投写装置に用いる投写光学系に諸収差のうち、特に歪曲収差が多く残存していると、画像情報をスクリーン上に投影したとき輪郭部が曲線（糸巻ききまたは樽）状にたわんでしまい、非常に見苦しい画像となる。
【００１２】
しかしながら多くの投写光学系は、拡大共役側（スクリーン）から縮小共役側（画像表示素子側）に順に負の屈折力のレンズ群、開口絞り、正の屈折力のレンズ群より成る所謂レトロフォーカス型のレンズ系より成っていることが多い。
【００１３】
レトロフォーカス型のレンズ系であると、スクリーンに投写時に糸巻きの歪曲収差が多く発生しやすい。
【００１４】
一般に、このときの歪曲収差を投写レンズで良好に補正するのは非常に困難である。
【００１５】
このため、主レンズ系の拡大共役側にアタッチメントレンズを装着するときには、このアタッチメントレンズで主レンズ系の歪曲収差を補正することが望ましい。
【００１６】
しかしながら簡易なレンズ構成のアタッチメントレンズで主レンズ系の投写画角を変えながら主レンズ系の歪曲収差までも補正することは大変難しい。
【００１７】
本発明は、レンズ構成枚数が少なく、主レンズ系の拡大共役側に着脱可能に装着したとき、レンズ系全体の歪曲収差を低減させることができるアタッチメントレンズ及びそれを有する光学系の提供を目的とする。
【課題を解決するための手段】
【００１８】
本発明のアタッチメントレンズは、主レンズ系の拡大共役側に着脱可能に装着されるアタッチメントレンズであって、拡大共役側から縮小共役側に順に、正レンズ、負レンズ、負レンズ、正レンズから成り、屈折力をφ（１／ｍｍ）とするとき
−０．００２（１／ｍｍ）  ＜  φ  ＜  ０．００２（１／ｍｍ）
なる条件を満足することを特徴としている。
【発明の効果】
【００１９】
本発明によれば、主レンズ系の拡大共役側に着脱可能に装着したとき、レンズ系全体の歪曲収差を低減させることができるアタッチメントレンズが得られる。
【発明を実施するための最良の形態】
【００２０】
以下、本発明のアタッチメントレンズ及びそれを主レンズ系（液晶プロジェクター等の画像投写装置の投写光学系）に装着したときの投写光学系及び該投写光学系を用いた画像投写装置の実施例について説明する。
【００２１】
図１は本発明の実施例１のアタッチメントレンズＡＬを主レンズ系（マスターレンズ）ＭＳの拡大共役側に装着したときのレンズ断面図である。図２は主レンズ系ＭＳの収差図である。
【００２２】
図３（Ａ），（Ｂ）は本発明の実施例１のアタッチメントレンズＡＬのレンズ断面図と、実施例１のアタッチメントレンズＡＬを主レンズ系ＭＳの拡大共役側に装着したときの収差図である。
【００２３】
図４（Ａ），（Ｂ）は本発明の実施例２のアタッチメントレンズＡＬのレンズ断面図と、実施例２のアタッチメントレンズＡＬを図１に示す主レンズ系ＭＳの拡大共役側に装着したときの収差図である。
【００２４】
図５（Ａ），（Ｂ）は本発明の実施例３のアタッチメントレンズＡＬのレンズ断面図と、実施例３のアタッチメントレンズＡＬを図１に示す主レンズ系ＭＳの拡大共役側に装着したときの収差図である。
【００２５】
図６（Ａ），（Ｂ）は本発明の実施例４のアタッチメントレンズＡＬのレンズ断面図と、実施例４のアタッチメントレンズＡＬを図１に示す主レンズ系ＭＳの拡大共役側に装着したときの収差図である。
【００２６】
図７（Ａ），（Ｂ）は本発明の画像投写装置で投影面（スクリーン面）に画像表示素子を投写したときの歪曲収差に関する説明図である。
【００２７】
図８は本発明の画像投写装置（カラー液晶プロジェクター）の要部概略図である。
【００２８】
図１における画像投写装置ではＬＣＤの原画（被投影画像）を投写光学系ＰＬを用いてスクリーン面Ｓ上に拡大投影している状態を示している。
【００２９】
Ｓはスクリーン面（投影面、被投写面）、ＬＣＤは液晶パネル（液晶表示素子）等の原画像（被投影画像）である。スクリーン面Ｓと原画像ＬＣＤとは共役関係又は略共役関係にある。
【００３０】
一般にはスクリーン面Ｓは距離の長い方の共役点（拡大共役点）で拡大側（前方）に、原画像ＬＣＤは距離の短い方の共役点（縮小共役点）で縮小側（後方）に相当している。
【００３１】
尚、投写光学系ＰＬを像を撮像する撮像光学系として使用することもできる。このときは、スクリーン面Ｓ側が物体側、原画像ＬＣＤ側が撮像素子が配置される像側となる。
【００３２】
ＧＢは色合成プリズムや偏光フィルター、そしてカラーフィルター等に対応して光学設計上設けられたガラスブロック（プリズム）である。
【００３３】
投写光学系ＰＬは接続部材（不図示）を介して液晶プロジェクター本体（不図示）に装着されている。ガラスブロックＧＢ以降の液晶表示素子ＬＣＤ側はプロジェクター本体に含まれている。
【００３４】
収差図において、ＦはＦナンバーである。ＩＭＧ  ＨＴは液晶表示素子側のＬＣＤの像高である。Ｓはサジタル像面，Ｍはメリディオナル像面である。
【００３５】
各実施例のアタッチメントレンズＡＬは主レンズ系ＭＳの拡大共役側に着脱可能に装着される。アタッチメントレンズＡＬは、拡大共役側から縮小共役側に順に、正レンズ、負レンズ、負レンズ、正レンズから成る。アタッチメントレンズＡＬの屈折力をφ（１／ｍｍ）とするとき
−０．００２（１／ｍｍ）  ＜  φ  ＜  ０．００２（１／ｍｍ）    ‥‥‥（１）
なる条件を満足している。
【００３６】
条件式（１）はアタッチメントレンズＡＬの屈折力に関する。アタッチメントレンズＡＬの屈折力が条件式（１）の範囲をこえると主レンズ系に装着した時の主レンズ系のバックフォーカスなど基本的なレンズ仕様が変わってしまうため好ましくない。
【００３７】
条件式（１）は更に好ましくは次の如く設定するのが良い。
−０．００１（１／ｍｍ）  ＜  φ  ＜  ０．００１３（１／ｍｍ）    ‥‥‥（１ａ）
アタッチメントレンズＡＬの具体的なレンズ構成は、次のとおりである。
【００３８】
拡大共役側から縮小共役側へ順に、両レンズ面が凸形状の正レンズ、両レンズ面が凹形状の負レンズ、拡大共役側の面が凸でメニスカス形状の負レンズ、拡大共役側の面が凸でメニスカス形状の正レンズより成っている。
【００３９】
これによって、４枚のレンズ枚数にもかかわらず、主レンズ系に装着したときのレンズ系全体の歪曲収差を含め諸収差の発生を少なくしている。
【００４０】
各実施例のアタッチメントレンズＡＬは、主レンズ系ＭＳの拡大共役側に装着したとき瞳（絞り位置）から遠くなるように、最も拡大共役側に正レンズが位置するようにしている。これによって、レトロフォーカス型の投写レンズである主レンズで発生するマイナスの歪曲収差を効率よく補正している。
【００４１】
アタッチメントレンズＡＬの最も拡大共役側に配置される第１番目の正レンズの材料の屈折率をＮｐ、第２番目の負レンズの材料の屈折率をＮｎとしたとき
Ｎｐ＞Ｎｎ
としている。
【００４２】
又、第１番目の正レンズの縮小共役側の面を凸形状としている。
【００４３】
これによって、主レンズ系に装着したときのレンズ系全体の歪曲収差を効率良く補正している。
【００４４】
最も拡大共役側に配置される第１番目の正レンズと第２番目の負レンズはお互いに貼合せるのが良い。これによれば、色収差を効率よく補正することができる。
【００４５】
主レンズ系ＭＳの焦点距離をＦ、主レンズ系ＭＳにアタッチメントレンズＡＬを装着したときの焦点距離をｆとするとき、
０．９  ＜  ｆ／Ｆ  ＜  １．２    ‥‥‥（２）
なる条件を満足している。
【００４６】
これによればレンズ系全体の焦点距離をワイド側およびテレ側にシフトさせることができる。条件式（２）の範囲をこえてくると諸収差の補正のためアタッチメントレンズのレンズ構成が複雑になってしまうため好ましくない。
【００４７】
条件式（２）は、更に好ましくは次の如く設定するのが良い。
【００４８】
０．９５  ＜  ｆ／Ｆ  ＜  １．１５    ‥‥‥（２ａ）
以上説明したように、各実施例のアタッチメントレンズをプロジェクター等の投写レンズに適用すればスクリーンに投影される画像について歪曲収差が少ない画像が得られる。
【００４９】
次に各実施例の特徴について順次説明する。
【実施例１】
【００５０】
図１に示す主レンズ系ＭＳはプロジェクター内に配置されており液晶表示素子ＬＣＤからの光をスクリーンなどの被投写面Ｓに投影している。各実施例のアタッチメントレンズＡＬは、この主レンズ系ＭＳの焦点距離をシフトするとともに、特に主レンズ系ＭＳの歪曲収差を補正している。
【００５１】
実施例１のアタッチメントレンズＡＬは図１に示すように主レンズ系ＭＳに着脱可能なレンズユニットである。図３は実施例１のアタッチメントレンズＡＬを装着した際の主レンズ系ＭＳとアタッチメントレンズＡＬとを合成した投写光学系の諸収差を示している。
【００５２】
図３からわかるように球面収差、非点収差に関しては図２に示した主レンズ系ＭＳのみの諸収差と比較してあまり変化していないにも関わらず歪曲収差のみが大きく低減されていることがわかる。
【００５３】
図７は実施例１において、主レンズ系ＭＳのみとアタッチメントレンズＡＬを装着したときのスクリーンＳ上での歪曲収差の比較を示している。図７（Ａ）に示すように主レンズ系のみの場合は理想的な矩形枠が歪曲収差によってたわんで糸巻き形状にみえる。これに対して実施例１のアタッチメントＡＬを主レンズ系ＭＳに装着した場合は図７（Ｂ）に示すように略理想矩形枠に近い投影パターンが実現できていることがわかる。
【００５４】
ここで実施例１のアタッチメントレンズＡＬは、拡大共役側から縮小共役側へ順に、正、負、負、正レンズの順で並んだ４枚構成である。特に第１番目の正レンズの縮小共役側の面を凸形状とすることにより、前述の歪曲収差を効率よく低減している。
【００５５】
具体的には、両レンズ面が凸形状の正レンズと両レンズ面が凹形状の負レンズとを接合した接合レンズ、拡大共役側の面が凸でメニスカス形状の負レンズ、拡大共役側の面が凸でメニスカス形状の正レンズの３群４枚より成っている。
【００５６】
実施例１の条件式（１），（２）の数値は次のとおりである。
【００５７】
条件式（１）    φ  ＝  −０．００００１
（２）    ｆ／Ｆ  ＝    １．０６８
【実施例２】
【００５８】
図４に示す実施例２は実施例１と比較してアタッチメントレンズＡＬのレンズ構成の一部分が異なっている。実施例２のアタッチメントレンズＡＬは拡大共役側から縮小共役側に順に正、負、負、正レンズの４枚で構成されており、第１番目の正レンズと第２番目の負レンズとはお互いに独立に構成されている。また実施例１と同様に、第１番目の正レンズの縮小共役側の面を凸形状とすることで歪曲収差を効率よく補正している。
【００５９】
各レンズのレンズ形状は、実施例１と同じである。
【００６０】
実施例２の条件式（１），（２）の数値は次のとおりである。
【００６１】
条件式  （１）    φ＝  ＋０．００００６９
（２）    ｆ／Ｆ  ＝  １．０８９
【実施例３】
【００６２】
図５に示す実施例３は実施例１と比較してアタッチメントレンズＡＬのレンズ構成の一部分が異なっている。実施例３のアタッチメントレンズＡＬは拡大共役側から縮小共役側に順に正、負、負、正レンズの４枚で構成されており、第１番目の正レンズと第２番目の負レンズとはお互いに独立に構成されている。また実施例１と同様に、第１番目の正レンズの縮小共役側の面を凸形状とすることで歪曲収差を効率よく補正している。各レンズのレンズ形状は実施例１と同じである。
【００６３】
実施例３の条件式（１），（２）の数値は次のとおりである。
【００６４】
条件式  （１）    φ＝  ＋０．０００２１３
（２）    ｆ／Ｆ＝  １．１１２
【実施例４】
【００６５】
図６に示す実施例４は実施例１と比較してアタッチメントレンズＡＬのレンズ構成の一部分が異なっている。実施例４のアタッチメントレンズＡＬは拡大共役側から縮小共役側に順に正、負、負、正レンズの４枚で構成されており、第１番目の正レンズと第２番目の負レンズとはお互いに独立に構成されている。
【００６６】
また実施例１と同様に、第１番目の正レンズの縮小共役側の面を凸形状とすることで歪曲収差を効率よく補正している。
【００６７】
各レンズのレンズ形状は実施例１と同じである。実施例４の条件式（１），（２）の数値は、次のとおりである。
【００６８】
条件式（１）    φ＝＋０．００１１５
（２）    ｆ／Ｆ＝０．９７５
図８は、３板式のカラー液晶プロジェクター（投写装置）に本発明の投写光学系ＰＬを適用した実施例５の要部概略図である。
【００６９】
同図において、１００は照明系、ＭＳは投写レンズ、ＡＬは投写レンズＭＳに着脱可能なアタッチメントレンズである。照明系１００は白色光源ＬＳからの光をダイクロイックミラー１０２，１０３を用いて青，緑，赤の色光に分離して後述する液晶パネルＰＢ，ＰＲ，ＰＧをそれぞれ照明している。
【００７０】
１１３，１１４は第１，第２フィールドレンズであり、液晶パネルＰＢ，ＰＲ，ＰＧに基づく画像をダイクロプリズムＤＣＰを解して投写レンズＭＳに導光している。
【００７１】
光源ＬＳからの光束はダイクロミラー１０２により青光（Ｂ光）が透過し、緑光（Ｇ光）と赤光（Ｒ光）が反射する。
【００７２】
ダイクロミラー１０２からのＧ光とＲ光のうち、Ｒ光はダイクロミラー１０３で反射し、Ｇ光は透過する。ダイクロミラー１０２を透過したＢ光はミラー１０４とコンデンサーレンズＣＢを介してＢ光用の液晶パネルＰＢを照明している。ダイクロミラー１０２、１０３で反射したＲ光はコンデンサーレンズＣＲを介してＲ光用の液晶パネルＰＲを照明している。
【００７３】
ダイクロミラー１０２で反射し、ダイクロミラー１０３を透過したＧ光はコンデンサーレンズＣＧを介してＧ光用の液晶パネルＰＧを照明している。
【００７４】
Ｂ光用の液晶パネルＰＢからの光束は、Ｂ光透過でＲ光反射のダイクロイックミラー１０５を透過する。次いで第１フィールドレンズ１１３を介して色合成用の接合面にダイクロイック膜を施した２つのプリズム１２１、１２２を接合したダイクロプリズムＤＣＰに入射している。
【００７５】
Ｒ光用の液晶パネルＰＲからの光束は、ダイクロイックミラー１０５で反射し、第１フィールドレンズ１１３を介してダイクロプリズムＤＣＰに入射している。Ｇ光用の液晶パネルＰＧからの光束はミラー１０６で反射し、第２フィールドレンズ１１４を介してダイクロプリズムＤＣＰに入射している。
【００７６】
各液晶パネルＰＢ、ＰＲ、ＰＧに基づく画像をダイクロプリズムＤＣＰのダイクロ面ＤＣＰａで合成し、該合成した画像を投写レンズＭＳとアタッチメントレンズＣＬを介してスクリーンＳ面上に拡大投影している。
【００７７】
次にアタッチメントレンズの実施例１〜４に相応する数値実施例１〜４及び、アタッチメントレンズを装着する主レンズ系ＭＳの数値実施例を示す。
【００７８】
各数値実施例においてｉは拡大共役側から光学面の順序を示し、Ｒは光学面の曲率半径、ｄは第ｉ面と第（ｉ＋１）面との間の間隔、ｎとνはそれぞれｄ線に対する光学部材の材質の屈折率、アッベ数を示す。
【００７９】
また、主レンズ系の数値例において、縮小共役側の４つの面は色合成プリズム等に相当して設計上設けられたガラスブロックを構成する面である。
【００８０】
非球面形状は、光軸方向にＺ非球面を設定している面の面頂点からその面の光軸の垂直な方向への入射光線の入射高をｈとする。
【００８１】
又、面頂点曲率半径の逆数をｃ、円錐定数をＫ、２次の非球面係数をＡ、４次の非球面係数をＢ、６次の非球面係数をＣ、８次の非球面係数をＤ、１０次の非球面係数をＥとする。
【００８２】
このとき、
【００８３】
【数１】
2007178826.tif 000003
【００８４】
で表される軸対称非球面形状である。また、「ｅ−ｚ」の表示は「１０−Ｚ」を意味する。
【００８５】
（主レンズ系）
Ri         di      ni     νi
1    48.955      2.30   1.812   25.4
2    21.197      6.79
3  （非球面）    3.10   1.532   55.8
4  （非球面）    11.30
5   -27.285      1.75   1.489   70.2
6 -1003.608      1.50
7  -230.265      4.45   1.839   37.2
8   -56.002      6.41
9   139.390      4.80   1.839   37.2
10  -108.108     22.55
11    52.141      4.30   1.607   38.0
12   382.739     34.81
13   -39.575      1.50   1.761   27.5
14  -320.549      3.00
15  -319.941      1.50   1.839   37.2
16    34.971      5.70   1.489   70.2
17  -101.852      0.15
18    63.766      7.70   1.489   70.2
19   -43.346      0.17
20  （非球面）    4.15   1.532   55.8
21  （非球面）    17.17
22    56.204      4.90   1.489   70.2
23  -451.444      1.45
24    ∞         55.00   1.849   24.6
25    ∞          0.00
26    ∞          3.80   1.518   64.1
27    ∞
非球面データ
3  c(1/r)= 2.480e-002  k=-8.653e-001  A=-1.692e-005  B=8.804e-008 
C=-3.276e-010  D= 8.716e-013  E=-1.051e-015
4  c(1/r)= 4.077e-002  k=-4.329e+000  A= 9.732e-008  B=1.985e-008
C=-2.454e-010  D= 8.708e-013  E=-1.412e-015
20  c(1/r)=-8.859e-003  k=-6.587e+001  A=-1.096e-005  B=3.458e-008
C=-1.449e-010  D= 4.494e-013  E=-4.341e-016
21  c(1/r)=-1.814e-002  k=-7.913e+000  A=-9.268e-006  B=2.295e-008
C=-9.433e-011  D= 2.938e-013  E=-2.508e-016
数値実施例１
Ri         di      ni     νi
1    85.656     11.18   1.575   57.7
2  -220.616      3.45   1.518   64.1
3    59.300      4.04
4    66.291      2.80   1.812   25.4
5    44.011      4.76
6    43.123      5.09   1.624   36.3
7    82.312     10.00
数値実施例２
RI         di      ni     νi
1   103.840      9.11   1.524   59.8
2  -419.339      3.00
3  -395.439      3.30   1.489   70.2
4    87.350      5.00
5   106.854      3.50   1.812   25.4
6    64.989      2.89
7    65.970      4.89   1.839   37.2
8   106.121      8.00
数値実施例３
RI         di      ni     νi
1    83.390     13.89   1.520   58.9
2  -255.561      0.56
3  -233.669      4.20   1.489   70.2
4    58.470      4.92
5   197.283      3.74   1.812   25.4
6    72.288      1.52
7    64.423     13.00   1.839   37.2
8   194.548      8.00
数値実施例４
Ri         di      ni     νi
1   103.956      8.88   1.520   52.4
2  -957.458      0.19
3 -1449.867      3.30   1.489   70.2
4    49.519     12.22
5   108.371      7.00   1.812   25.4
6    47.264      6.72
7    45.619      7.11   1.839   37.2
8   176.332      8.00
【図面の簡単な説明】
【００８６】
【図１】実施例１のアタッチメントレンズを有する光学系のレンズの断面図
【図２】図１の主レンズ系の収差図
【図３】実施例１のアタッチメントレンズのレンズ断面図と収差図
【図４】実施例２のアタッチメントレンズのレンズ断面図と収差図
【図５】実施例３のアタッチメントレンズのレンズ断面図と収差図
【図６】実施例４のアタッチメントレンズのレンズ断面図と収差図
【図７】歪曲収差が低減される様子の説明図
【図８】実施例５の投写装置の概略図
【符号の説明】
【００８７】
ＬＣＤ  液晶表示装置（像面）
ＧＢ  ガラスブロック（色合成プリズム）
Ｓ  サジタル像面の倒れ
Ｍ  メリディオナル像面の倒れ
ＡＬ  アタッチメントレンズ
ＭＳ  主レンズ系
ＰＬ  投写光学系
Ｓ    スクリーン
【図１】
2007178826.tif 000004
【図２】
2007178826.tif 000005
【図３】
2007178826.tif 000006
【図４】
2007178826.tif 000007
【図５】
2007178826.tif 000008
【図６】
2007178826.tif 000009
【図７】
2007178826.tif 000010
【図８】
2007178826.tif 000011